(57)【要約】【課題】本発明は、カバープレートを容易に動かないよう取り付けることができる電子機器を提供することを課題とする。【解決手段】本発明に係る電子機器は、表示スペースを有する電子機器の外装体と、この外装体の前記表示スペースを被覆するよう配設されるカバープレートとを備える電子機器であって、前記外装体に配設される１又は複数の第一吸着部材と、前記カバープレートのうち前記第一吸着部材が配設される領域に配設される１又は複数の第二吸着部材とを備え、前記第一吸着部材及び第二吸着部材の一方が磁石であり、他方が磁石又は強磁性体であることを特徴とする。【選択図】図２
2018116952.tif 000002
【特許請求の範囲】
【請求項１】
表示スペースを有する電子機器の外装体と、この外装体の前記表示スペースを被覆するよう配設されるカバープレートとを備える電子機器であって、
前記外装体に配設される１又は複数の第一吸着部材と、
前記カバープレートのうち前記第一吸着部材が配設される領域に配設される１又は複数の第二吸着部材と
を備え、
前記第一吸着部材及び第二吸着部材の一方が磁石であり、他方が磁石又は強磁性体であることを特徴とする電子機器。
【請求項２】
前記第一吸着部材が磁石であり、
前記第二吸着部材が強磁性体であり、
前記外装体の少なくとも第一吸着部材配設部分の内側に強磁性体から形成されるフレームを備え、
前記外装体が第一吸着部材配設部分に貫通孔を有する請求項１に記載の電子機器。
【請求項３】
前記外装体の外面に対して前記第一吸着部材の外面が内方に位置する請求項１又は請求項２に記載の電子機器。
【請求項４】
前記第二吸着部材がカバープレートに積層されている請求項１、請求項２又は請求項３に記載の電子機器。
【請求項５】
前記外装体が第一吸着部材の周囲に第二吸着部材を受け入れる座ぐりを有する請求項１から請求項４のいずれか１項に記載の電子機器。
【請求項６】
ページングマイクとして用いられる請求項１から請求項５のいずれか１項に記載の電子機器。
【発明の詳細な説明】
【技術分野】
【０００１】
本発明は、電子機器に関する。
【背景技術】
【０００２】
例えば電話機、ページングマイク（構内放送用マイク装置）等の電子機器の中には、外装体の表面に、例えば押しボタン等の複数の操作部材が配設され、外装体に、各操作部材に隣接し、各操作部材に対応する例えば呼出し先等の機能を説明する文字の表示スペースを設け、この表示スペースを覆うよう外装体にカバープレートを取り付けるようになっているものがある。
【０００３】
特開平６−７３４４号公報には、電話機の外装体の表面に、複数の機能ボタンが配設され、表示スペースを有する凹部を形成し、この凹部に、各機能ボタンが貫通する複数の開口が形成され、各機能ボタンを説明する文字を記載した示名紙を嵌合させ、さらにこの示名紙を覆うよう透明なカバープレートを嵌合させる構成が開示されている。
【０００４】
前記公報に記載の電話機では、凹部の外周の壁部にスリットを形成し、カバープレートに前記スリットに嵌合する凸部を形成することで、外装体にカバープレートを固定している。このカバープレートの取り付け構造では、カバープレートに可撓性が要求されるため、カバープレートの材質が限定されると共に、カバープレートを遊びなく動かないよう固定することができない。
【先行技術文献】
【特許文献】
【０００５】
【特許文献１】特開平６−７３４４号公報
【発明の概要】
【発明が解決しようとする課題】
【０００６】
前記不都合に鑑みて、本発明は、カバープレートを容易に動かないよう取り付けることができる電子機器を提供することを課題とする。
【課題を解決するための手段】
【０００７】
前記課題を解決するためになされた発明の一態様は、表示スペースを有する電子機器の外装体と、この外装体の前記表示スペースを被覆するよう配設されるカバープレートとを備える電子機器であって、前記外装体に配設される１又は複数の第一吸着部材と、前記カバープレートのうち前記第一吸着部材が配設される領域に配設される１又は複数の第二吸着部材とを備え、前記第一吸着部材及び第二吸着部材の一方が磁石であり、他方が磁石又は強磁性体であることを特徴とする電子機器である。
【０００８】
発明の一態様に係る電子機器は、前記第一吸着部材が磁石であり、前記第二吸着部材が強磁性体であり、前記外装体の少なくとも第一吸着部材配設部分の内側に強磁性体から形成されるフレームを備え、前記外装体が第一吸着部材配設部分に貫通孔を有することが好ましい。
【０００９】
発明の一態様に係る電子機器において、前記外装体の外面に対して前記第一吸着部材の外面が内方に位置することが好ましい。
【００１０】
発明の一態様に係る電子機器において、前記第二吸着部材がカバープレートに積層されていることが好ましい。
【００１１】
発明の一態様に係る電子機器において、前記外装体が第一吸着部材の周囲に第二吸着部材を受け入れる座ぐりを有することが好ましい。
【００１２】
発明の一態様に係る電子機器は、ページングマイクとして用いられるものであってもよい。
【発明の効果】
【００１３】
本発明の電子機器は、前記外装体に第一吸着部材を配設し、前記カバープレートに第一吸着部材との間に吸引力を生じる第二吸着部材を配設したので、前記カバープレートを容易に外装体に対して動かないよう取り付けることができる。また、当該電子機器は、カバープレートの材質に対する制約が小さく、透明性が高く傷付き難い材質を用いることができる。
【図面の簡単な説明】
【００１４】
【図１】本発明の一実施形態の電子機器の模式的斜視図である。
【図２】図１の電子機器の模式的分解斜視図である。
【図３】図１の電子機器のベース部の模式的断面図である。
【図４】図３の電子機器のカバープレート取り付け構造部分の拡大断面図である。
【発明を実施するための形態】
【００１５】
以下、適宜図面を参照しつつ、本発明の実施の形態を詳説する。
【００１６】
［電子機器］
図１に、本発明の一実施形態に係る電子機器を示す。当該電子機器は、ページングマイクとして使用されるものである。
【００１７】
当該電子機器は、ベース部１とこのベース部１の上面から上方に延びるマイク部２とを備える。
【００１８】
当該電子機器は、ベース部１の構成要素として、外装体３と、この外装体３の表面に取り付けられるカバープレート４とを備える。当該電子機器は、外装体３にカバープレート４を取り付けるために、本発明に特徴的なカバープレート取り付け構造を採用している。
【００１９】
当該電子機器は、図２に示すように、外装体３に配設される第一吸着部材５と、カバープレート４のうち、第一吸着部材５が配設される位置に対応する領域に配設される第二吸着部材６とを備える。第一吸着部材５及び第二吸着部材６の一方は、磁石から形成され、第一吸着部材５及び第二吸着部材６の他方は、第一吸着部材との間に吸引力を生じる磁石又は強磁性体から形成される。
【００２０】
当該電子機器では、設計の自由度の観点から、第二吸着部材６をより薄くすることができる強磁性体とし、第一吸着部材５を磁石とすることが好ましい。このため、以下の説明では、第一吸着部材５が磁石であり、第二吸着部材６が強磁性体であるものとして説明するが、第一吸着部材５を強磁性体とし、第二吸着部材６を磁石としてもよく、第一吸着部材５及び第二吸着部材６の両方を磁石としてもよい。
【００２１】
また、当該電子機器は、例えば電子部品、回路基板等の構成要素を支持し、外装体３によって開口が閉鎖される筐体７を備える。さらに、当該電子機器は、図３に示すように、外装体３の内側に強磁性体から形成されるフレーム８を備える。加えて、当該電子機器は、外装体３及びカバープレート４を貫通して表面側に突出する複数の押しボタン９を備える。
【００２２】
当該電子機器は、主に構内放送用マイク装置として使用され、各押しボタン９によって音声が流されるエリア、具体的には使用するスピーカー又はスピーカーのグループを選択する。なお、「構内放送」とは、例えば病院や会議室やオフィス等の全体又は一部の領域、例えば遊園地やショッピングセンター等の屋外施設の全体又は一部の領域などに音声を流すことを意味するが、音声を流す領域の種類や大小は限定されない。
【００２３】
当該電子機器は、押しボタン９又は押しボタン９に隣接する位置に選択した押しボタン９を表示するランプを有することが好ましい。
【００２４】
当該電子機器は、さらに、マイク部２で集音した音をスピーカーから流す（マイク部２の機能を有効化する）ためのトークスイッチ１０をさらに有する。つまり、当該電子機器は、トークスイッチ１０を押している間だけ構内放送を行うことができる（いわゆるプッシュツートーク）。
【００２５】
＜外装体＞
外装体３は、当該電子機器の内部に設けられる電子部品等を覆って保護すると共に、外面を化粧する部材である。この外装体３は、カバープレート４が嵌め込まれる凹部１１を有し、この凹部１１に複数の押しボタン９が配置されている。
【００２６】
より詳しくは、本実施形態の押しボタン９は、凹部１１の両側縁近傍に、側縁に沿って各一列、合計２列に並んで配列されている。
【００２７】
また、外装体３は、凹部１１の中に、複数の押しボタン９に隣接し、各押しボタン９によって選択される放送エリアを示す文字やシンボル等を表示するための表示スペース１２を有する。つまり、この表示スペース１２は、カバープレート４によって覆われる。
【００２８】
本実施形態において、表示スペース１２は、凹部１１の中央部、つまり押しボタン９の列間に形成されている。この表示スペース１２は、各押しボタン９に対応する文字やシンボル等を記載した表示紙Ｐを嵌め込んで位置決めできるよう、周囲から僅かに、例えば０．５ｍｍ程度凹んでいてもよい。
【００２９】
外装体３は、凹部１１に第一吸着部材５が配設されている。この第一吸着部材５の配設位置としては、凹部１１の外縁近傍が好ましく、凹部１１の対向する外縁近傍に対をなす複数位置とすることがより好ましく、外装体３の側縁近傍がさらに好ましい。
【００３０】
外装体３に配設される第一吸着部材５の数の下限としては、１であるが、カバープレート４の平面方向の向きを定めることができるよう２以上が好ましい。一方、外装体３に配設される第一吸着部材５の数の上限としては、不必要な部品点数の増加を排除するために８が好ましく、４がより好ましい。
【００３１】
第一吸着部材５の配設構造としては、図２に示すように、外装体３のフレーム８の上に位置する部分に貫通孔１３を形成して、フレーム８に磁石から形成される第一吸着部材５をその磁力により吸着させることで、貫通孔１３の内部に第一吸着部材５を保持する構造とすることができる。このように、第一吸着部材５自身の磁力により第一吸着部材５を外装体３内に保持することで、第一吸着部材５の配設が容易となる。また、第一吸着部材５の内側に強磁性体から形成されるフレームを配置することで、第一吸着部材５からカバープレート４と反対側に延びる磁束を捕捉し、当該電子機器の内部に形成される不必要な磁界を低減することもできる。
【００３２】
外装体３は、非強磁性体から形成される。この外装体３の材質としては、例えばアルミニウム（非磁性金属）、樹脂等を挙げることができる。外装体３がこのような非強磁性体から形成されることによって、第一吸着部材５が磁力によってカバープレート４の第二吸着部材６を吸着することを阻害しないようにできる。また、外装体３の材質として、アルミニウムを使用することにより、電磁シールド効果も期待できる。
【００３３】
外装体３とフレーム８との固定は、凹部１１内で、例えばビス留め等によって行ってもよい。フレーム８への取り付け構造を凹部１１内に配置することで、フレーム８への取り付け構造をカバープレート４で覆うことができ、当該電子機器の美観を向上することができる。
【００３４】
外装体３の第一吸着部材５を配設する部分における厚さとしては、外装体３の外面に対して第一吸着部材５の外面が内方に位置するよう、第一吸着部材５及び第二吸着部材６の合計厚さより大きいことが好ましく、例えば１．５ｍｍ以上３．０ｍｍ以下とすることができる。
【００３５】
（貫通孔）
貫通孔１３は、外装体３の貫通孔１３の形成位置における表面の法線方向視で、フレーム８と少なくとも部分的に重複するよう形成される。つまり、貫通孔１３は、第一吸着部材５をフレーム８から部分的にはみ出させるよう収容するものであってもよい。
【００３６】
平面視における貫通孔１３と第一吸着部材５との平均クリアランス（貫通孔１３の平均半径と第一吸着部材５の平均半径との差）としては、例えば０．１ｍｍ以上、０．３ｍｍ以下とすることができる。
【００３７】
（座ぐり）
また、外装体３は、本実施形態のように、第一吸着部材５を配設する貫通孔１３の周囲の表面側に後述する第二吸着部材６を受け入れる座ぐり１４を有することが好ましい（図４参照）。これにより、外装体３の表面にカバープレート４を密着させることができ、カバープレート４をよりしっかりと固定することができる。
【００３８】
平面視における座ぐり１４と第二吸着部材６との平均クリアランス（座ぐり１４の平均半径と第二吸着部材６の平均半径との差）としては、例えば１ｍｍ以上、２ｍｍ以下とすることができる。
【００３９】
断面視における座ぐり１４と第二吸着部材６との平均クリアランス（座ぐり１４の平均深さとカバープレート４の裏面及び第二吸着部材６の裏面間の平均距離との差）としては、例えば０．２ｍｍ以上１．０以下とすることができる。
【００４０】
＜カバープレート＞
カバープレート４は、表示スペース１２に配置した表示紙Ｐを視認できるよう、少なくとも表示スペース１２を覆う部分が透明である。
【００４１】
また、カバープレート４は、外装体３のフレーム８に対する取り付け構造を覆い隠すことができるよう、表示スペース１２を覆う部分以外の部分が不透明であることが好ましい。より具体的には、カバープレート４は、図２に示すように、裏面側に、外装体３のフレーム８に対する取り付け構造や第一吸着部材５を覆い隠すように形成される不透明な印刷層１５を有することが好ましい。また、第二吸着部材６は、カバープレート４の外面側から視認できないように、カバープレート４の印刷層１５のさらに裏面側に貼着されることが好ましい。
【００４２】
カバープレート４の材質としては、特に限定されないが、透明で強度が大きいガラス、樹脂等とすることができる。カバープレート４を構成する樹脂の主成分としては、例えばアクリル樹脂、ポリカーボネイト等を挙げることができる。なお、「主成分」とは、質量含有量が最も大きい成分を意味し、好ましくは９０質量％以上含有する成分とされる。
【００４３】
このカバープレート４は、容易に変形しないよう、十分な剛性を有することが好ましい。このような観点から、カバープレート４の平均厚さとしては、１ｍｍ以上３ｍｍ以下とすることができる。
【００４４】
＜第一吸着部材＞
第一吸着部材５を形成する磁石としては、例えばフェライト磁石、ネオジム磁石、サマリウムコバルト磁石、アルニコ磁石等を用いることができる。
【００４５】
第一吸着部材５の磁束密度の下限としては、５００Ｇが好ましく、１０００Ｇがより好ましい。一方、第一吸着部材５の磁束密度の上限としては、５０００Ｇが好ましく、３０００Ｇがより好ましい。第一吸着部材５の磁束密度が上記下限に満たない場合、第二吸着部材６、ひいてはカバープレート４を十分な力で吸着できないおそれがある。逆に、第一吸着部材５の磁束密度が上記上限を超える場合、カバープレート４の取り外しが容易でなくなるおそれや、当該電子機器組立て時の第一吸着部材５の取り扱いが容易でなくなるおそれがある。
【００４６】
第一吸着部材５の形状としては、特に限定されないが、比較的入手しやすく、配設が容易な円板状乃至円柱状とすることができ、この場合、第一吸着部材５は、カバープレート４に円形面を正対させるよう配置される。
【００４７】
第一吸着部材５の径としては、例えば３ｍｍ以上８ｍｍ以下とすることができる。また、第一吸着部材５の高さとしては、外装体３に配設可能な高さとされ、例えば０．８ｍｍ以上２ｍｍ以下とすることができる。
【００４８】
第一吸着部材５は、外装体３にカバープレート４を装着したときに、第二吸着部材６との間に隙間が形成されるよう埋設されることが好ましい。これによって、外装体３をカバープレート４に確実に密着させることができる。この第一吸着部材５と第二吸着部材６との隙間としては、例えば０．０２ｍｍ以上０．３０ｍｍ以下とすることができる。この隙間を大きくし過ぎると、第一吸着部材５が第二吸着部材６を吸引する力が不十分となるおそれがある。
【００４９】
＜第二吸着部材＞
第二吸着部材６は、薄板状の強磁性体であることが好ましい。具体的には、第二吸着部材６としては、例えばめっき鋼板、ティンフリースチール、カラー鋼板等をはじめとする表面処理鋼板を用いることができる。また、特にめっき鋼板としては、例えば比較的安価な電気錫めっき鋼板（ぶりき板）等が挙げられる。
【００５０】
また、第二吸着部材６は、カバープレート４に埋設してもよいが、上述のように、カバープレート４の裏面に貼着することが好ましい。このように、薄板状の第二吸着部材６をカバープレート４の裏面に貼着する構成とすることによって、カバープレート４の形状を板状とすることができるので、カバープレート４の形成が容易で平面度を向上することができる。
【００５１】
第二吸着部材６の平面形状及び平面寸法としては、第一吸着部材５の平面形状及び平面寸法と等しいことが好ましい。
【００５２】
第二吸着部材６の平均厚さとしては、例えば０．１ｍｍ以上０．８ｍｍ以下とすることができる。
【００５３】
第二吸着部材６は、例えば接着剤、両面テープ等を用いてカバープレート４に貼着することができる。また、第二吸着部材６をカバープレート４に貼着する接着剤や両面テープは、座ぐり１４の径を最小限とすることができるよう、第二吸着部材６からはみ出さないようにすることが望ましい。また、接着剤や両面テープが第二吸着部材６からはみ出さないことで、第二吸着部材６の端面を座ぐり１４に当接するガイドとして使用し、カバープレート４の位置決めを行うようにすることができる。
【００５４】
＜筐体＞
筐体７は、例えば樹脂、金属等から形成することができる。具体例として、筐体７は、加工性に優れ、電磁シールド効果が得られる亜鉛ダイキャストによって形成することができる。
【００５５】
＜フレーム＞
フレーム８は、筐体７に固定される。また、上述の外装体３は、このフレーム８に固定することができる。
【００５６】
このフレーム８は、上述のように、強磁性体から形成され、このフレーム８に第一吸着部材５が吸着することで、第一吸着部材５が外装体３の貫通孔１３の中に保持される。
【００５７】
フレーム８は、鋼板をプレス加工することによって形成してもよい。このフレーム８は、表面がめっきされていることが好ましく、例えば電気亜鉛めっきされたものとすることができる。
【００５８】
フレーム８を形成する鋼板の厚さとしては、例えば０．５ｍｍ以上１．５ｍｍ以下とすることができる。
【００５９】
＜押しボタン＞
押しボタン９は、外装体３及びカバープレート４に形成される開口からベース部１の表面に突出している。
【００６０】
＜マイク部＞
マイク部２は、ベース部１に機械的及び電気的に接続するためのコネクタ１６とコネクタ１６から上方に延び、自在に曲げられるフレキシブルアーム１７と、このフレキシブルアーム１７の先端に設けられる集音部１８とを有する。つまり、このマイク部２は、ベース部１に対して着脱可能であり、別のマイク部と交換することができる。このようなマイク部２の構成は周知であるため、詳細な説明は省略する。
【００６１】
＜利点＞
当該電子機器は、発明の実施形態に係るカバープレート取り付け構造を有し、外装体３に配設した第一吸着部材５がカバープレート４に配設した第二吸着部材６を吸着することで、外装体３に対してカバープレート４を取り付けることができる。このため、当該電子機器は、比較的容易に外装体３に対してカバープレート４を遊びなく動かないよう取り付けることができる。
【００６２】
また、当該電子機器は、カバープレート４に可撓性が要求されないため、カバープレート４の材質や厚さを比較的自由に選択することができ、傷付きに難いポリカーボネイト等によってカバープレートを形成することができる。
【００６３】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００６４】
当該電子機器は、ページングマイクに限定されず、例えば電話機等であってもよい。
【００６５】
また、当該電子機器の表示スペースは、押しボタン以外の操作部材の情報を表示するものであってもよい。例として、当該電子機器は、複数の表示ランプを有する電子機器において各表示ランプの情報を表示するものであってもよい。
【００６６】
当該電子機器において、表示スペースに表示紙を配置することなく、外装体又はカバープレートに直接文字等を記載してよく、表示スペースに各押しボタン等に対応する文字等が記載された複数のプレート等を配置してもよい。また、表示スペースには、ボタン等に対応する文字等が記載された複数のプレート等を嵌め込む複数のキャビティが形成されていてもよい。
【００６７】
当該電子機器において、カバープレートは、表面側に印刷層を有してもよく、一方の面に不透明なシートが貼着されていてもよく、不透明な材質から形成されてもよい。
【産業上の利用可能性】
【００６８】
本発明の電子機器は、ページングマイクに特に好適に利用することができる。
【符号の説明】
【００６９】
１  ベース部
２  マイク部
３  外装体
４  カバープレート
５  第一吸着部材
６  第二吸着部材
７  筐体
８  フレーム
９  押しボタン
１０  トークスイッチ
１１  凹部
１２  表示スペース
１３  貫通孔
１４  座ぐり
１５  印刷層
１６  コネクタ
１７  フレキシブルアーム
１８  集音部
Ｐ  表示紙
【図１】
2018116952.tif 000003
【図２】
2018116952.tif 000004
【図３】
2018116952.tif 000005
【図４】
2018116952.tif 000006